(57)【要約】【課題】  再生専用メディアとの互換性を保ちつつ、レーザパワー調整処理によるメディアの信頼性の向上をも同時に実現できる光記録再生装置を提供する。【解決手段】  テストエリア１（ＰＣＡ）を使い尽くすまで、テストエリア１を用いてレーザパワーの調整を行う。テストエリア１を使い尽くすと、最外周位置にテストエリア２を確保し、テストエリア２をも使い尽くしたときには、さらに、その内周側に、新たにテストエリア２を確保してレーザパワー調整を行う。  テストエリア２は、リードアウト領域よりも外周に確保されるため、再生専用光ディスクとの間で、フォーマット上の互換性を維持することができる。また、テストエリア１が使い尽くされたときに初めてテストエリア２が確保されるため、テストエリア１のみでレーザパワー調整を行える間は、再生専用光ディスクとの間で容量互換も維持することができる。【選択図】    図６
2005141787.tif 000002
【特許請求の範囲】
【請求項１】
追記型光記録媒体に対し情報を記録および再生する光記録再生装置において、
前記記録媒体にレーザ光を照射して情報を記録する記録手段と、
前記記録媒体にレーザ光を照射して情報を再生する再生手段と、
予め規定されたレーザパワー調整領域に所定の情報を記録および再生したときの状態から前記レーザ光の強度調整を行うレーザパワー調整手段と、
前記レーザパワー調整領域以外の領域に、レーザパワー調整用の追加領域を確保する調整領域確保手段と、
前記追加領域の確保の要否を判別する要否判別手段とを備え、
前記調整領域確保手段は、前記要否判別手段から追加領域の確保が必要と判別されたことに応じて、再生専用光記録媒体との間でフォーマット互換を維持できる領域に前記追加領域を確保する、
ことを特徴とする光記録再生装置。
【請求項２】
請求項１において、
前記要否判別手段は、前記レーザパワー調整領域がレーザパワー調整によって使い尽くされたかを判別し、その結果、使い尽くされたと判別したとき、前記追加領域の確保が必要であると判別する、
ことを特徴とする光記録再生装置。
【請求項３】
請求項２において、
前記要否判別手段は、当該光記録再生装置に設定されている動作モードを判別し、その結果、追加領域の確保を許す動作モードが設定されていると判別したとき、前記追加領域の確保が必要であると判別する、
ことを特徴とする光記録再生装置。
【請求項４】
請求項２または３の何れかにおいて、
前記要否判別手段は、前記記録媒体の空き容量と、レーザパワー調整のために消費される容量とに基づいて前記追加領域を確保可能であるかを判別し、確保可能である場合に追加領域を確保する、
ことを特徴とする光記録再生装置。
【請求項５】
請求項１ないし４の何れかにおいて、
前記調整領域確保手段は、予め決められた容量ずつ段階的に、前記追加領域を確保する、
ことを特徴とする光記録再生装置。
【請求項６】
請求項１ないし４の何れかにおいて、
前記調整領域確保手段は、パワー調整に必要な容量ずつ段階的に、前記追加領域を確保する、
ことを特徴とする光記録再生装置。
【請求項７】
請求項１ないし６の何れかにおいて、
前記代替領域確保手段は、追記可能領域の終端側から順番に、前記追加領域を確保する、
ことを特徴とする光記録再生装置。
【請求項８】
請求項１ないし７の何れかにおいて、
前記記録制御手段は、前記追加領域を管理する管理情報を、再生専用光記録媒体との間でフォーマット上の互換性を維持できる領域に記録する、
ことを特徴とする光記録再生装置。
【発明の詳細な説明】
【技術分野】
【０００１】
本発明は、光記録再生装置に関し、特に、追記型光ディスクに情報を記録／再生する際に用いて好適なものである。
【背景技術】
【０００２】
現在の普及している記録メディア（光ディスク）は、ＣＤ−ＲＯＭやＤＶＤ−ＲＯＭなどの再生専用型メディアと、ＣＤ−ＲＷやＤＶＤ−ＲＷなどの書き換え型メディアと、ＣＤ−Ｒ、ＤＶＤ―Ｒ、ＤＶＤ＋Ｒなどの追記型メディアに大別できる。このうち、ＣＤ−Ｒ、ＤＶＤ―Ｒ、ＤＶＤ＋Ｒなどの追記型メディアは、一度のみの書き込みしかできないが、その反面、書き替え型メディアに比べ安価であり、また、ＣＤ−ＲＯＭやＤＶＤ−ＲＯＭなどの再生専用型メディアと高い互換性が維持されているところに特長がある。
【０００３】
かかる追記型メディアには、パワーキャリブレーションエリア（ＰＣＡ）が配されており、このＰＣＡを用いてレーザパワーが調整された後に、通常の記録・再生動作が行われている。しかしながら、従来の追記型記録メディアにおいては、再生専用型メディアとの完全な互換性を維持するために、ＰＣＡのみをパワー調整領域として用いる使用形態が多く、この場合、ＰＣＡが使い尽くされると、その後、記録動作は行われない。このため、メディアの利用効率が低下するという問題が生じていた。この問題は、今後、追記型メディアの大容量化がさらに進むことにより、一層深刻な問題になるものと予想される。
【０００４】
そこで、以下に示す特許文献１には、追記型メディアの最外周に予めレーザパワー調整領域（アウターパワーキャリブレーションエリア）を配しておき、必要に応じて適宜、この調整領域を用いてレーザパワーの調整を行う技術が記載されている。かかる調整方法によれば、通常のＰＣＡの他、アウターパワーキャリブレーションエリアを用いてパワー調整を行うことができるため、上記に比べ、追記型メディアの信頼性を向上させることができる。
【特許文献１】特開２００２−１７５６２４号公報
【発明の開示】
【発明が解決しようとする課題】
【０００５】
しかしながら、かかる調整方法においては、必ず、アウターキャリブレーションエリアが配されることから、アウターキャリブレーションエリアを全く使用していない場合においても、再生専用メディアとの間で容量互換をとることができなくなってしまう。また、アウターキャリブレーションエリアをも使い尽くしてしまったような場合には、上記と同様、その後、記録動作は行われず、メディアの利用効率が低下するとの問題が生じる。
【０００６】
そこで、本発明は、追記型メディアにおいて、再生専用型メディアとの互換性を極力維持しつつ、メディアの利用効率向上をも同時に実現できるような光記録再生装置を提供することを目的とする。
【課題を解決するための手段】
【０００７】
本発明は、追記型記録媒体に対し情報を記録および再生する情報記録再生装置において、追加のレーザパワー調整領域を確保する必要があるか否かを判別し、必要がある場合にのみ、別途、追加の調整領域を確保するものである。加えて、ユーザデータ記憶領域を極力阻害することなく、追加の調整領域を効率的に確保し、これにより、ユーザデータ領域の容量確保と、メディアの利用効率向上を同時に実現するものである。
【０００８】
各請求項に係る発明の特徴は以下の通りである。
【０００９】
請求項１の発明は、追記型光記録媒体に対し情報を記録および再生する光記録再生装置において、前記記録媒体にレーザ光を照射して情報を記録する記録手段と、前記記録媒体にレーザ光を照射して情報を再生する再生手段と、予め規定されたレーザパワー調整領域に所定の情報を記録および再生したときの状態から前記レーザ光の強度調整を行うレーザパワー調整手段と、前記レーザパワー調整領域以外の領域に、レーザパワー調整用の追加領域を確保する調整領域確保手段と、前記追加領域の確保の要否を判別する要否判別手段とを備え、前記調整領域確保手段は、前記要否判別手段から追加領域の確保が必要と判別されたことに応じて、再生専用光記録媒体との間でフォーマット互換を維持できる領域に前記追加領域を確保することを特徴とする。
【００１０】
請求項２の発明は、請求項１に記載の光記録再生装置において、前記要否判別手段は、前記レーザパワー調整領域がレーザパワー調整によって使い尽くされたかを判別し、その結果、使い尽くされたと判別したとき、前記追加領域の確保が必要であると判別することを特徴とする。
【００１１】
請求項３の発明は、請求項２に記載の光記録再生装置において、前記要否判別手段は、当該光記録再生装置に設定されている動作モードを判別し、その結果、追加領域の確保を許す動作モードが設定されていると判別したとき、前記追加領域の確保が必要であると判別することを特徴とする。
【００１２】
請求項４の発明は、請求項２または３の何れかに記載の光記録再生装置において、前記要否判別手段は、前記記録媒体の空き容量と、レーザパワー調整のために消費される容量とに基づいて前記追加領域を確保可能であるかを判別し、確保可能である場合に追加領域を確保することを特徴とする。
【００１３】
請求項５の発明は、請求項１ないし４の何れかに記載の光記録再生装置において、前記調整領域確保手段は、予め決められた容量ずつ段階的に、前記追加領域を確保することを特徴とする。
【００１４】
請求項６の発明は、請求項１ないし４の何れかに記載の光記録再生装置において、前記調整領域確保手段は、パワー調整に必要な容量ずつ段階的に、前記追加領域を確保することを特徴とする。
【００１５】
請求項７の発明は、請求項１ないし６の何れかに記載の光記録再生装置において、前記代替領域確保手段は、追記可能領域の終端側から順番に、前記追加領域を確保することを特徴とする。
【００１６】
請求項８の発明は、請求項１ないし７の何れかに記載の光記録再生装置において、前記記録制御手段は、前記追加領域を管理する管理情報を、再生専用光記録媒体との間でフォーマット上の互換性を維持できる領域に記録することを特徴とする。
【００１７】
ただし、以下の実施の形態は、あくまでも、本発明の一つの実施形態であって、本発明ないし各構成要件の用語の意義は、以下の実施の形態に記載されたものに制限されるものではない。
【発明の効果】
【００１８】
本発明によれば、追加のレーザパワー調整領域を確保する必要があるかを判別し、必要がある場合にのみ、フォーマット上の互換性を維持できる領域に、別途、追加の調整領域を確保するものであるから、再生専用型光記録媒体との互換性を保ちつつ、メディアの利用効率向上を同時に図ることができる。
【００１９】
加えて、請求項２ないし７の発明によれば、ユーザデータ記憶領域を極力阻害することなく、追加の調整領域を効率的に確保し、これにより、ユーザデータ領域の容量確保を図ることができる。
【００２０】
その他、本発明にて奏される作用効果は、以下に示す実施の形態の説明により、さらに明瞭に理解されることとなろう。
【発明を実施するための最良の形態】
【００２１】
以下、本発明の実施の形態につき図面を参照して説明する。
【００２２】
まず、図１に追記型ディスクに情報を記録再生する記録再生装置の回路ブロック図を示す。
【００２３】
図示の如く、本実施の形態に係る記録再生装置は、ＥＣＣエンコーダ１０１と、変調回路１０２と、フォーマッタ１０３と、レーザ駆動回路１０４と、光ピックアップ１０５と、信号増幅器１０６と、サーボ回路１０７と、スピンドルモータ１０８と、ＰＬＬ１０９と、Ａ／Ｄ変換回路１１０と、イコライザ１１１と、ビタビ復号回路１１２と、アンフォーマッタ１１３と、復調回路１１４と、ＥＣＣデコーダ１１５と、コントローラ１２０と、ホストコンピュータ１２１を含んでいる。なお、同図中、１００は、追記型光ディスクである。
【００２４】
ＥＣＣエンコーダ１０１は、入力された記録データにリードソロモン符号などによる誤り訂正符号を付加し、変調回路１０２へと出力する。変調回路１０２は、ＥＦＭ変調、ＥＦＭＰ変調、ＲＬＬ（１，７）変調など、記録データに対し最短または最長のデータ長に制限を加えるように、または低域周波数を抑圧しＤＣ成分の変動を抑えるように記録データおよび誤り訂正符号に対して変調を行う。フォーマッタ１０３は、変調された記録データを、コントローラ１２０からのタイミング信号に基づき、追記型ディスクの物理フォーマットに合う形に加工し、レーザ駆動回路１０４へと出力する。レーザ駆動回路１０４は、フォーマッタ１０３からの記録信号に基づき、追記型ディスクに最適な記録パワーでレーザを出射するよう光ピックアップ１０５を制御する。
【００２５】
光ピックアップ１０５により再生された信号は、信号増幅器１０６にて、増幅および演算される。サーボ回路１０７は、信号増幅器１０６からの信号に基づき、スピンドルモータ１０８の回転、光ピックアップ１０５のトラッキング機構、フォーカス機構を制御する。ＰＬＬ１０９は、信号増幅器１０６からの再生ＲＦ信号により再生データに同期したクロックを生成し、各回路へと出力する。Ａ／Ｄ変換回路１１０は、再生ＲＦ信号をＰＬＬ１０９からのクロックに同期して標本化することでアナログ信号からデジタルデータへの変換を行う。イコライザ１１１は、デジタルデータを所望の波形に等化し、ビタビ復号回路１１２へと出力する。ビタビ復号回路１１２は、ハミング距離の演算結果に基づき最も確からしいデータ列を選択し、２値データを出力する。アンフォーマッタ１１３は、コントローラ１２０からのタイミング信号に基づいて、フォーマッタ１０３で加工されたデータを取り除き、ユーザデータおよび該誤り訂正符号を抽出する。復調回路１１４は、変調回路１０２で変調されたデータを復調し、ＥＣＣデコーダ１１５に出力する。ＥＣＣデコーダ１１５は、誤り訂正符号によってユーザデータの誤り検出および誤り訂正を行い、訂正後のユーザデータを後段回路に出力する。
【００２６】
コントローラ１２０は、ホストコンピュータ１２１からの記録・再生等に関する各種コマンドを受けて、各種タイミング信号または制御信号を生成し、各部を制御する。なお、コントローラ１２０は、後述の如く、レーザパワーの調整を行う。ホストコンピュータ１２１は、ＣＰＵやＭＰＵによって構成され、ユーザからの入力指令等に応じて、各種コマンドをコントローラ１２０に出力する。
【００２７】
次に、コントローラ１２０において行われるレーザパワーの調整処理について説明する。
【００２８】
レーザパワー調整時、コントローラ１２０は、フォーマッタ１０３に所定のデータを出力し、このデータの記録動作を実行させる。このとき、コントローラ１２０は、たとえば、１ＥＣＣブロックのデータを８回、合計８ＥＣＣブロック分のデータをフォーマッタ１０３に出力する。そして、１ＥＣＣブロックずつレーザパワーを変更しながら、合計８通りのデータをディスク１００に記録する。なお、かかる記録の際に用いられる領域の割り当て方については、追って詳述する。
【００２９】
次に、コントローラ１２０は、記録したデータの再生動作を実行させる。再生されたデータは信号増幅器１０６から復調回路１１４を介して、ＥＣＣデコーダ１１５に出力される。ＥＣＣデコーダ１１５では、再生データを１ＥＣＣブロックずつ順次処理し、このときのエラーレートをコントローラ１２０に出力する。コントローラ１２０は、ＥＣＣデコーダ１１５のエラーレートを記録時に設定した８通りのレーザパワーに対応付け、レーザパワーとエラーレートの関係を検出する。
【００３０】
図２は、このときの検出結果の一例を示すものである。
【００３１】
コントローラ１２０は、検出したレーザパワーとエラーレートの関係から、たとえば、エラーレートが閾値Ｅ０よりも小さく、且つ、エラーレートが最も小さい記録レーザパワーを最適レーザパワーとして設定する。そして、設定したレーザパワーを用いて、その後の記録動作を実行する。
【００３２】
なお、最適レーザパワーの設定方法は、上記に限定されるものではなく、他に種々の変更が可能である。たとえば、図３に示すように、再生ＲＦ信号をモニタすることにより、最適レーザパワーを設定することもできる。図３に示す設定方法では、再生ＲＦ信号の振幅値ａ、ｂからパラメータβを求め（同図Ａ）、上記８通りのレーザパワーに応じたパラメータβの関係（同図Ｂ）から、最適レーザパワーを設定する。このとき、たとえばパラメータβがゼロに最も近いレーザパワーを最適レーザパワーとする。
【００３３】
図４は、追記型ディスクおよび再生専用型ディスクのディスクアロケーションを示す図である。なお、同図には、１枚のディスク上に複数のディスク構造を実現した場合のディスクアロケーション（追記型ディスクにおけるマルチセッションまたはマルチボーダ（以下、マルチセッション）と呼ばれる）も同時に示してある。
【００３４】
図示の如く、再生専用型ディスクは、プログラムデータの始まりを示すリードインエリア、プログラムデータが格納されているプログラムエリアおよびプログラムエリアの終了を示すリードアウトにより構成される。
【００３５】
一方、追記型ディスクは、再生専用型ディスクと物理的にも論理的にも完全互換可能な形で、ユーザデータエリアの始まりを示すリードインエリア、ユーザデータの記録領域であるユーザデータエリアおよびユーザデータエリアの終りを示すリードアウトを確保可能な記録領域を備えている。また、記録または再生レーザパワーを決定するために使用するパワーキャリブレーションエリア（ＰＣＡ）と、記録条件や追記記録ポインタなど追記型メディアに特有の情報を記録可能なプログラムメモリエリア（ＰＭＡ）が、再生専用型ディスクのリードインエリア位置に先立って備えられている。
【００３６】
さらに、追記型ディスクのマルチセッションでは、リードイン、ユーザデータエリア、リードアウトを複数セット確保することにより、１枚のディスク上にあたかも複数のディスクが存在するように構成することが可能となる。
【００３７】
本実施の形態では、ＰＣＡ以外に追加のレーザパワー調整領域を確保する必要があり、且つ、当該領域の確保が許容される場合に、別途、追加の調整領域が確保される。そして、ＰＣＡまたは追加の調整領域を用いて、上述のレーザパワー調整動作が実行される。このとき、ＰＣＡの使用状況と、追加のレーザパワー調整領域の確保の有無およびその使用状況に関する情報が、ＰＭＡの空きエリア等、ディスク上の所定の領域に記録・更新される。
【００３８】
以下、ＰＣＡまたは追加の調整領域を用いてレーザパワー調整を行う際の動作について説明する。
【実施例１】
【００３９】
図５に、本実施例における、レーザパワー調整時のフローチャートを示す。
【００４０】
なお、本実施例では、ＰＣＡの使用状況に関する情報と、追加のレーザパワー調整領域の確保の有無およびその使用状況に関する情報（以下、これらの情報を「テストエリア管理情報」と総称する）は、ＰＭＡの空きエリアに更新・記録されるものとする。
【００４１】
追記型ディスクが挿入されると、コントローラ１２０は、ホストコンピュータ１２１からテスト要求（レーザパワーの調整要求）が発せられたか否かを判別する（Ｓ１０１）。そして、テスト要求が発せられていなければ、テスト要求が発せられるまで待機する。
【００４２】
その後、ホストコンピュータ１２１からテスト要求が発せられると、コントローラ１２０は、ＰＭＡへのアクセス制御を実行し、ＰＭＡ中のテストエリア管理情報を読み取る（Ｓ１０２）。そして、読み取ったテストエリア管理情報を参照して、テストを行うアドレスを検出するとともに、ＰＣＡ（以下の実施例では「テストエリア１」と称する）に空き領域が残っているかを判別する（Ｓ１０３）。すなわち、この空き領域の容量が、レーザパワー調整時に記録されるデータ容量（たとえば、上記では８ＥＣＣブロック分のデータ容量）よりも大きいかを判別する。
【００４３】
ここで、テストエリア１に空き容量が残っていれば、コントローラ１２０は、テストエリア１を用いて、上述のレーザパワー設定動作を実行する（Ｓ１０４）。そして、レーザパワーの設定を終了すると、新たなテストエリア管理情報を生成し、これを、ＰＭＡの空きエリアに記録する（Ｓ１０５）。その後、設定したレーザパワーにて、ドライブ動作を実行する（Ｓ１０６）。
【００４４】
一方、Ｓ１０３にて、テストエリア１に空き容量が残っていないと判別した場合、コントローラ１２０は、Ｓ１０２にて読み取ったテストエリア管理情報を参照し、既に、ＰＣＡ以外の領域にテストエリア２（レーザパワー調整用の領域）が確保されているかを判別する（Ｓ１０７）。ここで、テストエリア２が確保されている場合、コントローラ１２０は、上記テストエリア管理情報をもとに、テストエリア２に空き容量が残っているかを判別する（Ｓ１０８）。すなわち、上記Ｓ１０３と同様、この空き領域の容量が、レーザパワー調整時に記録されるデータ容量（たとえば、上記では８ＥＣＣブロック分のデータ容量）よりも大きいかを判別する。
【００４５】
この判別の結果、テストエリア２に空き容量が残っていれば、コントローラ１２０は、テストエリア２を用いて、上述のレーザパワー設定動作を行う（Ｓ１０９）。そして、新たなテストエリア管理情報を生成し、これを、ＰＭＡの空きエリアに記録する（Ｓ１０５）。その後、設定したレーザパワーにて、ドライブ動作を実行する（Ｓ１０６）。
【００４６】
一方、テストエリア２に空き容量が残っていない場合には、コントローラ１２０は、当該ドライブ動作に設定されているモードが信頼性モードであるか、最大容量モードであるかを判別する。ここで、信頼性モードとは、レーザパワー調整を行った後に記録動作を実行することによって記録データの信頼性を確保するモードのことである。また、最大容量モードとは、記録データの信頼性よりも記録容量を最大限に確保するモードのことである。これらのモードは、例えば、ユーザが高信頼性モードで記録するか否かを直接選択して設定する方法、アプリケーションがメディアの残記録容量と転送データ容量から判断して自動的に設定する方法、または、アプリケーションがユーザに問い合わせた結果に基づき設定する方法、等によって記録再生装置に設定されている。なお、かかるモードを識別するための情報は、たとえば、テスト要求の発生と同時に、ホストコンピュータ１２１からコントローラ１２０に出力される。
【００４７】
このＳ１１０にて、信頼性モードが設定されていると判別すると、コントローラ１２０は、次に、テストエリア２を確保可能であるかを判別する（Ｓ１１１）。すなわち、コントローラ１２０は、記録データを記録したと想定したときの残記憶容量が、テストエリア２の容量よりも大きいときに、テストエリア２を確保可能と判別する。なお、本実施例では、確保されるテストエリア２の容量は予め決められた容量に設定されているものとする。
【００４８】
Ｓ１１１にて、確保可能であると判別すると、コントローラ１２０は、テストエリア２を確保した後（Ｓ１１２）、Ｓ１０９以降の処理を実行する。すなわち、確保したテストエリア２を用いてレーザパワー調整を行い（Ｓ１０９）、その後、テストエリア管理情報の更新（Ｓ１０５）およびドライブ動作（Ｓ１０６）を実行する。
【００４９】
なお、上記Ｓ１１０またはＳ１１１にて“Ｎｏ”と判別すると、コントローラ１２０は、エラー処理を実行する。かかるエラー処理において、コントローラ１２０は、たとえば、レーザパワー調整を行わずに、ドライブ動作１０６を実行する。
【００５０】
図６は、上記実施例におけるレーザパワー調整処理動作時のデータマッピングの一例を示す図である。
【００５１】
同図（１）に示すように、ディスクには、ＰＣＡ（テストエリア１）およびＰＭＡが内周に設けられている。記録処理が開始されると、コントローラ１２０は、まず、未記録領域に対してリードインを記録するための領域を確保する。そして、記録処理が開始されると、同図（２）に示すように、まず、テストエリア１を用いてレーザパワー調整を行いながら、ユーザデータが記録される。その後、同図（３）に示すように、テストエリア１が使い尽くされると、同図（４）に示すように、最外周部にテストエリア２が確保される。なお、テストエリア２は、上記図５の処理フローに示すように、その確保が可能であると判別されたときにのみ確保され、そうでない場合には、エラー処理が行われる。
【００５２】
しかる後、記録動作が進むと、同図（５）に示すように、テストエリア２を用いてレーザパワー調整を行ながら、ユーザデータが記録される。そして、記録動作が終了しクローズ処理がなされると、同図（６）に示すように、ＰＭＡに続く未記録領域にリードイン情報が記録され、且つ、ユーザデータの記録終了位置に続いてリードアウト情報が記録される。このときのデータマッピング状態は、同図（７）に示すように、再生専用光ディスクと同一のフォーマットになり、よって、当該記録後のディスクと再生専用ディスクとの間でフォーマット上の互換性が維持される。
【００５３】
なお、テストエリア管理情報は、同図（２）〜（５）においてテストエリア１またはテストエリア２を用いたレーザパワー調整を行ったときに、ＰＭＡの空き領域に記録される。
【００５４】
以上、本実施例によれば、テストエリア１が使い尽くされたときに初めてテストエリア２が確保されるため、テストエリア１のみでレーザパワー調整を行える間は、再生専用光ディスクとの間で容量互換も維持することができる。また、テストエリア２がリードアウト領域よりも外周となる位置に確保されるため、再生専用光ディスクとの互換性を維持することができる。
【００５５】
なお、本実施例では、テストエリア２を最外周位置に確保した後、このテストエリア２をも使い尽くしたときには、さらに、このテストエリア２の内周側に、新たにテストエリア２が確保される。すなわち、テストエリア２を確保可能である限り、外周側から順次、テストエリア２が確保される。したがって、ディスク容量の限界近くまで、レーザパワー調整を行いながら記録動作を実現することができ、もって、ディスクの利用効率を著しく向上させることができる。
【実施例２】
【００５６】
上記実施例１では、テストエリア２として予め決められた容量の領域を確保するようにしたが、本実施例は、レーザパワー調整に必要な容量分（たとえば、上記では８ＥＣＣブロック分）だけ、最外周側から順番に、テストエリア２を確保するものである。
【００５７】
図７に、本実施例における、レーザパワー調整時のフローチャートを示す。
【００５８】
なお、本実施例においても、上記実施例１と同様、テストエリア管理情報は、ＰＭＡの空きエリアに更新・記録されるものとする。ただし、テストエリア管理情報の記録位置は、ＰＭＡの空きエリアに限られるものではなく、リードインおよびリードアウトの空き領域や、リードアウトよりもさらに外周側の追記可能領域等とすることもできる。
【００５９】
なお、図７のフローチャート中、テストエリア１に空きエリアがある場合の処理（Ｓ１０１〜Ｓ１０６）は上記実施例と同じである。
【００６０】
テストエリア１に空きエリアがない場合（Ｓ１０３：Ｎｏ）、コントローラ１２０は、当該ドライブ動作に設定されているモードが信頼性モードであるか、最大容量モードであるかを判別する（Ｓ１２１）。ここで、信頼性モードが設定されていると判別すると、コントローラ１２０は、次に、テストエリア２を確保可能であるかを判別する（Ｓ１２２）。すなわち、コントローラ１２０は、記録データを記録したと想定したときの残記憶容量が、テストエリア２の容量よりも大きいときに、テストエリア２を確保可能と判別する。なお、本実施例では、確保されるテストエリア２の容量はレーザパワー調整に必要な容量（たとえば、上記では８ＥＣＣブロック分）に設定されているものとする。
【００６１】
Ｓ１２２にて、テストエリア２を確保可能であると判別すると、コントローラ１２０は、テストエリア２を確保した後（Ｓ１２３）、確保したテストエリア２を用いてレーザパワー調整を行う（Ｓ１２４）。そして、テストエリア管理情報の更新（Ｓ１０５）を行った後、ドライブ動作（Ｓ１０６）を実行する。
【００６２】
なお、上記Ｓ１２１またはＳ１２２にて“Ｎｏ”と判別すると、コントローラ１２０は、エラー処理を実行する。かかるエラー処理において、コントローラ１２０は、たとえば、レーザパワー調整を行わずに、ドライブ動作１０６を実行する。
【００６３】
図８は、本実施例におけるレーザパワー調整処理動作時のデータマッピングの一例を示す図である。
【００６４】
同図（１）に示すように、ディスクには、ＰＣＡ（テストエリア１）およびＰＭＡが内周に設けられている。記録処理が開始されると、コントローラ１２０は、まず、未記録領域に対してリードインを記録するための領域を確保する。そして、記録処理が開始されると、同図（２）に示すように、まず、テストエリア１を用いてレーザパワー調整を行いながら、ユーザデータが記録される。その後、同図（３）に示すように、テストエリア１が使い尽くされると、同図（４）に示すように、最外周部にテストエリア２が確保される。なお、テストエリア２は、上記図５の処理フローに示すように、その確保が可能であると判別されたときにのみ確保され、そうでない場合には、エラー処理が行われる。
【００６５】
しかる後、同図（５）に示すように、テストエリア２を用いてレーザパワー調整が行われ、その後、調整されたレーザパワーにてユーザデータが記録される。なお、レーザパワー調整の際に、確保されたテストエリア２は全て使い尽くされる。そして、記録動作が終了しクローズ処理がなされると、同図（６）に示すように、ＰＭＡに続く未記録領域にリードイン情報が記録され、且つ、ユーザデータの記録終了位置に続いてリードアウト情報が記録される。このときのデータマッピング状態は、同図（７）に示すように、再生専用光ディスクと同一のフォーマットになる。よって、当該記録後のディスクと再生専用ディスクとの間でフォーマット上の互換性が維持される。
【００６６】
なお、テストエリア管理情報は、同図（２）〜（５）においてテストエリア１またはテストエリア２を用いたレーザパワー調整を行ったときに、ＰＭＡの空き領域に記録される。
【００６７】
以上、本実施例によれば、テストエリア２がリードアウト領域よりも外周となる位置に確保されるため、上記実施例１と同様、再生専用光ディスクとの互換性を維持することができる。また、テストエリア１が使い尽くされたときに初めてテストエリア２が確保されるため、テストエリア１のみでレーザパワー調整を行える間は、再生専用光ディスクとの間で容量互換も維持することができる。
【００６８】
なお、本実施例では、テストエリア２は１回のレーザパワー調整に必要な容量だけ確保され当該レーザパワー調整時に全て使い尽くされるものであるが、その後にさらにレーザパワー調整が必要となったときは、さらに、このテストエリア２の内周側に、新たにテストエリア２が確保される。すなわち、テストエリア２を確保可能である限り、外周側から順次、レーザパワー調整に必要な容量ずつ、テストエリア２が確保される。したがって、ディスク容量の限界近くまで、レーザパワー調整を行いながら記録動作を実現することができ、もって、ディスクの利用効率を著しく向上させることができる。また、１回のレーザパワー調整に必要な容量だけテストエリア２が確保されるから、テストエリア２の無駄な確保を回避でき、もって、ユーザデータの記録領域を効率的に利用することができる。
【実施例３】
【００６９】
上記実施例１、２では、テストエリア１を使い尽くした後にテストエリア２を確保するようにしたが、本実施例は、ホストコンピュータ１２１からテストエリア２の確保要求があったときにテストエリア２を確保し、テストエリア１とテストエリア２を選択的に用いてレーザパワーの調整を行うものである。
【００７０】
ここで、ホストコンピュータ１２１からの確保要求は、たとえば、記録領域が内周側から外周側に移行したような場合に発せられる。すなわち、外周側領域に対して記録を行う場合には、最内周のテイスエリア１を用いるよりも最外周のテストエリア２を用いてレーザパワーを調整する方が、よりディスク特性を反映したレーザパワーの調整が可能となる。よって、記録領域が内周側から外周側に移行したときには、最外周部にテストエリア２を確保し、このテストエリア２にてレーザパワー調整を行って記録動作を行う。
【００７１】
図９に、実施例２における、レーザパワー調整時のフローチャートを示す。
【００７２】
なお、本実施例においても、上記実施例１、２と同様、テストエリア管理情報は、ＰＭＡの空きエリアに更新・記録されるものとする。また、テストエリア２は、実施例１と同様、予め決められた容量だけ確保されるものとする。
【００７３】
図９のフローチャート中、Ｓ１０７〜Ｓ１１２の処理は上記実施例１と同じである。本実施例では、Ｓ１３１にて、ホストコンピュータ１２１からテストエリア２でのパワー調整が要求されているかが判別される。ここで、テストエリア２でのパワー調整が要求されている場合、Ｓ１０７に進み、上記実施例１と同様にして、テストエリア２を用いたレーザパワー調整が行われる。一方、テストエリア２でのパワー調整が要求されていない場合、Ｓ１０３に進み、上記実施例１と同様にして、テストエリア１を用いたレーザパワー調整が行われる。なお、Ｓ１０３にて、テストエリア１に空きエリアがないと判別された場合には、Ｓ１０７に進み、テストエリア２を用いたレーザパワー調整が行われる。すなわち、ホストコンピュータ１２１からはテストエリア２を用いる指示は行われていないが、記録データの信頼性を向上させるために、テストエリア２を用いたレーザパワー調整に切り替えられる。
【００７４】
図１０は、本実施例におけるレーザパワー調整処理動作時のデータマッピングの一例を示す図である。
【００７５】
同図（１）に示すように、ディスクには、ＰＣＡ（テストエリア１）およびＰＭＡが内周に設けられている。記録処理が開始されると、コントローラ１２０は、まず、未記録領域に対してリードインを記録するための領域を確保する。そして、記録処理が開始されると、同図（２）に示すように、まず、テストエリア１を用いてレーザパワー調整を行いながら、ユーザデータが記録される。その後、ホストコンピュータ１２１からテストエリア２を用いたレーザパワー調整の指示がなされると、同図（３）に示すように、テストエリア１が使い尽くされると、同図（３）に示すように、最外周部にテストエリア２が確保される。
【００７６】
しかる後、同図（４）に示すように、テストエリア２を用いてレーザパワー調整が行われ、その後、調整されたレーザパワーにてユーザデータが記録される。そして、記録動作が終了しクローズ処理がなされると、同図（５）に示すように、ＰＭＡに続く未記録領域にリードイン情報が記録され、且つ、ユーザデータの記録終了位置に続いてリードアウト情報が記録される。このときのデータマッピング状態は、同図（６）に示すように、再生専用光ディスクと同一のフォーマットになる。よって、当該記録後のディスクと再生専用ディスクとの間でフォーマット上の互換性が維持される。
【００７７】
なお、テストエリア管理情報は、同図（２）〜（５）においてテストエリア１またはテストエリア２を用いたレーザパワー調整を行ったときに、ＰＭＡの空き領域に記録される。
【００７８】
以上、本実施例によれば、テストエリア２がリードアウト領域よりも外周となる位置に確保されるため、上記実施例１と同様、再生専用光ディスクとの互換性を維持することができる。また、テストエリア１とテストエリア２を選択的に用いながらレーザパワー調整を行うものであるから、たとえば、記録領域が内周側から外周側に移行したような場合にテストエリア２を確保してレーザパワー調整を行うことにより、ディスク特性をより反映したレーザパワー調整が可能となり、もって、記録データの信頼性を向上させることができる。
【００７９】
なお、本実施例では、テストエリア２を最外周位置に確保した後、このテストエリア２をも使い尽くしたときには、さらに、このテストエリア２の内周側に、新たにテストエリア２が確保される。すなわち、テストエリア２を確保可能である限り、外周側から順次、テストエリア２が確保される。したがって、ディスク容量の限界近くまで、レーザパワー調整を行いながら記録動作を実現することができ、もって、ディスクの信頼性を向上させながらディスクの利用効率を向上させることができる。
【００８０】
ところで、本実施例では、テストエリア２として予め決められた容量の領域を確保するようにしたが、上記実施例２と同様、レーザパワー調整に必要な容量分（たとえば、上記では８ＥＣＣブロック分）だけ、最外周側から順番に、テストエリア２を確保するようにしても良い。この場合、レーザパワー調整時のフローチャートは、図１１の如く変更される。なお、図１１のフローチャートは、上記実施例２で示した図７のフローチャートのうち、Ｓ１０２とＳ１０３の間にＳ１３１が挿入されている。その他の処理ステップは、図７と同じである。
【００８１】
かかる処理フローによれば、１回のレーザパワー調整に必要な容量だけテストエリア２が確保されるから、テストエリア２の無駄な確保を回避でき、もって、ユーザデータの記録領域を効率的に利用することができる。
【００８２】
なお、本発明は上記実施の形態に限定されるものではなく、他に種々の変更が可能であることは言うまでもない。本発明の実施の形態は、特許請求の範囲に示された技術的思想の範囲内において、適宜、種々の変更が可能である。
【図面の簡単な説明】
【００８３】
【図１】実施の形態に係る光記録再生装置の構成を示す図
【図２】実施の形態に係るレーザパワー調整処理を説明する図
【図３】実施の形態に係るレーザパワー調整処理を説明する図
【図４】実施の形態に係る追記型光ディスクの構成を示す図
【図５】実施例１におけるレーザパワー調整処理フローチャート
【図６】実施例１におけるデータマッピングの一例を示す図
【図７】実施例２におけるレーザパワー調整処理フローチャート
【図８】実施例２におけるデータマッピングの一例を示す図
【図９】実施例３におけるレーザパワー調整処理フローチャート
【図１０】実施例３におけるデータマッピングの一例を示す図
【図１１】実施例３におけるレーザパワー調整処理フローチャートの変更例
【符号の説明】
【００８４】
１００  追記型ディスク
１０１  ＥＣＣエンコーダ
１０２  変調回路
１０３  フォーマッタ
１０４  レーザ駆動回路
１０５  光ピックアップ
１０６  信号増幅器
１１０  Ａ／Ｄ変換回路
１１１  イコライザ
１１２  ビタビ復号回路
１１３  アンフォーマッタ
１１４  復調回路
１１５  ＥＣＣデコーダ
１２０  コントローラ
１２１  ホストコンピュータ
【図１】
2005141787.tif 000003
【図２】
2005141787.tif 000004
【図３】
2005141787.tif 000005
【図４】
2005141787.tif 000006
【図５】
2005141787.tif 000007
【図６】
2005141787.tif 000008
【図７】
2005141787.tif 000009
【図８】
2005141787.tif 000010
【図９】
2005141787.tif 000011
【図１０】
2005141787.tif 000012
【図１１】
2005141787.tif 000013